(57)【要約】【課題】  天然素材をモチーフにした建材を印刷する際に、色合い決定作業の負担を軽減する。【解決手段】  個々の天然素材の色領域再現に適した特色インキの組み合わせからなるインキセットを用意し、格納部１２０に登録しておく。各インキセットについて、標準表色系の色データに変換するための色対応情報を格納部１１０に用意する。インキセット選択部１３０が提示する天然素材の中から、所望の素材を選択すると、対応するインキセットが選択され、格納部１４０内の原画像データＤが、データ変換部１５０において、選択されたインキセットについての色対応情報を利用して標準表色系画像データＳに変換され、更に、画像データ出力部１６０において、ＩＣＣプロファイルによる色補正が行われ、ディスプレイ２１０またはプリンタ２２０により出力される。この出力結果に基づき、選択インキセットで印刷した場合の色合いを確認する。【選択図】  図４
2006187964.tif 000002
【特許請求の範囲】
【請求項１】
天然素材をモチーフにした絵柄画像を印刷して建材を製造する際に、色あいの決定作業を支援するための装置であって、
それぞれ所定の濃度値が定義された多数の画素の配列からなる複数Ｎ枚の色別レイヤーから構成され、モチーフとなる天然素材の絵柄画像を示す原画像データを格納する原画像データ格納部と、
前記原画像データを構成する個々の色別レイヤーを印刷するために用いられるＮ種類のインキの組み合わせを１インキセットとして、複数通りのインキセットを定義するために、個々のインキセットについて、それぞれ構成要素となるインキを特定するためのインキセット構成情報を格納したインキセット構成情報格納部と、
前記各インキセットについて、その構成要素となるＮ種類のインキをそれぞれ所定の濃度値で所定の順序で印刷したときに得られる第１の色と、標準表色系を構成するＭ種類のパラメータ（Ｍ＝Ｎでも、Ｍ≠Ｎでもよい）をそれぞれ所定値に設定したときに得られる第２の色と、が等しくなるように、前記Ｎ種類のインキの濃度値の組み合わせと前記Ｍ種類のパラメータの組み合わせとの間の対応関係を定義した色対応情報を格納した色対応情報格納部と、
オペレータに、前記複数通りのインキセットを提示し、その中から所望のインキセットを選択させるインキセット選択部と、
前記色対応情報格納部から、オペレータが選択したインキセットについての色対応情報を読み出し、前記原画像データ上の個々の画素の濃度値を、読み出した色対応情報を用いて、前記標準表色系を構成するＭ種類のパラメータに変換することにより、標準表色系画像データを生成するデータ変換部と、
前記データ変換部により生成された標準表色系画像データに、所定の画像出力装置の色特性に応じた補正を加えて、前記画像出力装置へ出力する画像データ出力部と、
を備え、
前記インキセット構成情報格納部には、それぞれ特定の天然素材をモチーフにした絵柄画像の色領域を再現するのに適したインキの組み合わせからなるインキセットの情報が格納されており、
前記インキセット選択部が、オペレータにインキセットを提示する際に、当該インキセットに対応する天然素材を示す情報を見出しとして提示する機能を有することを特徴とする建材の色合い決定作業支援装置。
【請求項２】
請求項１に記載の支援装置において、
インキセット構成情報格納部に、種々の木材をモチーフにした絵柄画像の色領域を再現するのに適したインキの組み合わせからなるインキセットの情報と、種々の石材をモチーフにした絵柄画像の色領域を再現するのに適したインキの組み合わせからなるインキセットの情報と、が格納されており、
インキセット選択部が、木材および石材を示す大見出しと、特定の木材および特定の石材を示す中見出しと、を提示することにより、特定のインキセットの選択を行わせることを特徴とする建材の色合い決定作業支援装置。
【請求項３】
請求項２に記載の支援装置において、
インキセット構成情報格納部に、同一の木材についての複数通りのインキセットの情報と、同一の石材についての複数通りのインキセットの情報と、が格納されており、
インキセット選択部が、個々のインキセットを示す小見出しを提示することにより、特定のインキセットの選択を行わせることを特徴とする建材の色合い決定作業支援装置。
【請求項４】
請求項１〜３のいずれかに記載の支援装置において、
インキセット構成情報格納部に、印刷対象となる媒体ごとに異なるインキセットの情報が格納されており、
インキセット選択部が、印刷対象となる媒体を示す見出しを提示することにより、特定のインキセットの選択を行わせることを特徴とする建材の色合い決定作業支援装置。
【請求項５】
請求項１〜４のいずれかに記載の支援装置において、
インキセット構成情報格納部に、印刷後に施される加工の内容ごとに異なるインキセットの情報が格納されており、
インキセット選択部が、印刷後に施される加工の内容を示す見出しを提示することにより、特定のインキセットの選択を行わせることを特徴とする建材の色合い決定作業支援装置。
【請求項６】
請求項１〜５のいずれかに記載の支援装置において、
インキセット構成情報として、構成要素となる個々のインキを配合するための原材料となるインキの型番および配合割合を用いることを特徴とする建材の色合い決定作業支援装置。
【請求項７】
請求項１〜６のいずれかに記載の支援装置としてコンピュータを機能させるためのプログラム。
【請求項８】
天然素材をモチーフにした絵柄画像を印刷して建材を製造する際に、色あいの決定作業を支援する方法であって、
それぞれ所定の濃度値が定義された多数の画素の配列からなる複数Ｎ枚の色別レイヤーから構成され、モチーフとなる天然素材の絵柄画像を示す原画像データを用意する段階と、
前記原画像データを構成する個々の色別レイヤーを印刷するために用いられるＮ種類のインキの組み合わせを１インキセットとして、それぞれ特定の天然素材をモチーフにした絵柄画像の色領域を再現するのに適したインキの組み合わせからなるインキセットを複数通り用意する段階と、
前記各インキセットについて、その構成要素となるＮ種類のインキをそれぞれ所定の濃度値で所定の順序で印刷したときに得られる第１の色と、標準表色系を構成するＭ種類のパラメータ（Ｍ＝Ｎでも、Ｍ≠Ｎでもよい）をそれぞれ所定値に設定したときに得られる第２の色と、が等しくなるように、前記Ｎ種類のインキの濃度値の組み合わせと前記Ｍ種類のパラメータの組み合わせとの間の対応関係を定義した色対応情報をデジタルデータとして用意する段階と、
前記複数通りのインキセットの中から、所望の天然素材に対応するインキセットを選択する段階と、
前記原画像データと選択したインキセットについての色対応情報とをコンピュータに与え、前記原画像データを構成するＮ枚の色別レイヤーに分散して定義されている原画像上の個々の画素の濃度値を、色対応情報を用いて前記標準表色系を構成するＭ種類のパラメータに変換する処理を実行させ、標準表色系画像データを生成する段階と、
この生成された標準表色系画像データに、所定の画像出力装置の色特性に応じた補正を加える処理をコンピュータに実行させ、補正後のデータを前記画像出力装置に与え、前記原画像データに基づいて前記選択したインキセットを用いて印刷したときの結果を予測する画像を出力する段階と、
を有することを特徴とする建材の色合い決定作業支援方法。
【請求項９】
請求項８に記載の支援方法において、
印刷対象となる媒体ごとに異なるインキセットを用意し、印刷対象となる媒体を考慮して、インキセットの選択を行うことを特徴とする建材の色合い決定作業支援方法。
【請求項１０】
請求項８または９に記載の支援方法において、
印刷後に施される加工の内容ごとに異なるインキセットを用意し、印刷後に施される加工の内容を考慮して、インキセットの選択を行うことを特徴とする建材の色合い決定作業支援方法。
【発明の詳細な説明】
【技術分野】
【０００１】
本発明は、建材の色合い決定作業を支援する技術に関し、特に、木材や石材などの天然素材をモチーフにした絵柄画像を、紙やフィルム上に印刷して建材を製造する際に、印刷に用いるインキの色あいを決定する作業を支援する技術に関する。
【背景技術】
【０００２】
一般に、カラー印刷物は、複数の色インキを重ね刷りすることにより製作される。この場合、雑誌、ポスター、商品パッケージなど、ごく一般的な商用印刷物の場合、シアン、マゼンタ、イエロー、ブラックの４色（いわゆる、ＣＭＹＫ系の４色）のインキを用いた印刷が行われる。これは、このＣＭＹＫ系のインキは、減色混合に適した三原色を含み、非常に広い色再現領域を確保することができるからである。
【０００３】
一方、建材の印刷には、ＣＭＹＫ系のインキではなく、いわゆる特色と呼ばれるインキの組み合わせが用いられることが多い。特に、木材や石材などの天然素材をモチーフにした絵柄画像を、紙やフィルム上に印刷して建材を製造する際には、ほとんどの場合、個々の天然素材の印刷に適した特色インキの組み合わせが利用される。たとえば、木材をモチーフにした絵柄画像では、茶系の色が主体となり、赤、青、緑、黄、紫などの原色をそのまま用いることは皆無と言ってよいため、ＣＭＹＫ系のインキを用いた印刷を行うよりも、茶系の色表現に適したインキを用いた印刷を行う方が好ましい。このため、木目柄や石目柄など、天然素材をモチーフにした床材や壁紙を印刷する場合、通常、特色インキの組み合わせが用いられている。
【０００４】
このように、天然素材をモチーフとした建材の印刷では、特色インキの組み合わせを用いる必要があるため、ＣＭＹＫ系のインキを用いた印刷に比べて、色合わせの作業がむずかしい。それは、個々の天然素材ごとに、それぞれ異なる特色インキの組み合わせが利用されるからである。そこで、たとえば、下記の特許文献１には、このような色合わせ作業の負担を軽減するために利用できる、専用の色合わせ用スケールが開示されている。
【特許文献１】特開平８−２１９８８３号公報
【発明の開示】
【発明が解決しようとする課題】
【０００５】
上述したように、天然素材をモチーフとした建材の印刷では、個々の天然素材に合わせた特色インキの組み合わせを用いるのが一般的であるが、特定の天然素材に適した特色インキの組み合わせを決定する作業は、熟練した印刷担当者が、長年の経験を頼りに行っているのが現状である。通常、モチーフとなる天然素材の絵柄画像を示す原画像データは、３枚もしくは４枚の色別レイヤーで構成され、個々のレイヤーには、それぞれ所定の濃度値が定義された多数の画素の配列が定義されている。印刷に用いる特色インキの組み合わせが決定すると、個々のレイヤーはそれぞれ対応する特色インキで刷られることになるので、用いる特色インキの組み合わせは、最終的に得られる建材の色合いを左右することになる。
【０００６】
建材の印刷を請け負う印刷会社では、通常、顧客（たとえば、建材メーカー）から、「オーク調の床材」とか、「メイプル調の壁紙」とか、「マーブル模様の床材」といったテーマの指定を受けて、顧客の希望に沿った建材を納品することが多い。この場合、各建材の印刷に用いる特色インキの組み合わせは、熟練した担当者が、顧客の指示を念頭に入れて、経験に基づいて決定することになる。こうして担当者が決定した特色インキの組み合わせを用いて実際に試し刷りを行い、顧客に提示することになるが、顧客の希望に合致した結果が直ちに得られることは非常に希である。通常は、「もう少し赤みを強くして欲しい」というような色合いを修正する要望が顧客から出され、その度に、担当者が、特色インキの配合を若干変える調整を行い、再び試し刷りを行って顧客に結果を提示する、という作業が繰り返されることになる。このような試し刷りを繰り返す作業は、印刷現場での作業負担を重くし、時間的なロスも大きなものになる。
【０００７】
そこで本発明は、天然素材をモチーフにした絵柄画像を印刷して建材を製造する際に、建材の色合い決定作業の負担を軽減させることが可能な支援システムを提供することを目的とする。
【課題を解決するための手段】
【０００８】
(1)   本発明の第１の態様は、天然素材をモチーフにした絵柄画像を印刷して建材を製造する際に、色あいの決定作業を支援するための色合い決定作業支援装置において、
それぞれ所定の濃度値が定義された多数の画素の配列からなる複数Ｎ枚の色別レイヤーから構成され、モチーフとなる天然素材の絵柄画像を示す原画像データを格納する原画像データ格納部と、
原画像データを構成する個々の色別レイヤーを印刷するために用いられるＮ種類のインキの組み合わせを１インキセットとして、複数通りのインキセットを定義するために、個々のインキセットについて、それぞれ構成要素となるインキを特定するためのインキセット構成情報を格納したインキセット構成情報格納部と、
各インキセットについて、その構成要素となるＮ種類のインキをそれぞれ所定の濃度値で所定の順序で印刷したときに得られる第１の色と、標準表色系を構成するＭ種類のパラメータ（Ｍ＝Ｎでも、Ｍ≠Ｎでもよい）をそれぞれ所定値に設定したときに得られる第２の色と、が等しくなるように、Ｎ種類のインキの濃度値の組み合わせとＭ種類のパラメータの組み合わせとの間の対応関係を定義した色対応情報を格納した色対応情報格納部と、
オペレータに、複数通りのインキセットを提示し、その中から所望のインキセットを選択させるインキセット選択部と、
色対応情報格納部から、オペレータが選択したインキセットについての色対応情報を読み出し、原画像データ上の個々の画素の濃度値を、読み出した色対応情報を用いて、標準表色系を構成するＭ種類のパラメータに変換することにより、標準表色系画像データを生成するデータ変換部と、
データ変換部により生成された標準表色系画像データに、所定の画像出力装置の色特性に応じた補正を加えて、当該画像出力装置へ出力する画像データ出力部と、
を設け、
インキセット構成情報格納部には、それぞれ特定の天然素材をモチーフにした絵柄画像の色領域を再現するのに適したインキの組み合わせからなるインキセットの情報を格納しておくようにし、
インキセット選択部が、オペレータにインキセットを提示する際に、当該インキセットに対応する天然素材を示す情報を見出しとして提示するようにしたものである。
【０００９】
(2)   本発明の第２の態様は、上述の第１の態様に係る建材の色合い決定作業支援装置において、
インキセット構成情報格納部に、種々の木材をモチーフにした絵柄画像の色領域を再現するのに適したインキの組み合わせからなるインキセットの情報と、種々の石材をモチーフにした絵柄画像の色領域を再現するのに適したインキの組み合わせからなるインキセットの情報と、を格納しておき、
インキセット選択部が、木材および石材を示す大見出しと、特定の木材および特定の石材を示す中見出しと、を提示することにより、特定のインキセットの選択を行わせるようにしたものである。
【００１０】
(3)   本発明の第３の態様は、上述の第２の態様に係る建材の色合い決定作業支援装置において、
インキセット構成情報格納部に、同一の木材についての複数通りのインキセットの情報と、同一の石材についての複数通りのインキセットの情報と、を格納しておき、
インキセット選択部が、個々のインキセットを示す小見出しを提示することにより、特定のインキセットの選択を行わせるようにしたものである。
【００１１】
(4)   本発明の第４の態様は、上述の第１〜第３の態様に係る建材の色合い決定作業支援装置において、
インキセット構成情報格納部に、印刷対象となる媒体ごとに異なるインキセットの情報を格納しておき、
インキセット選択部が、印刷対象となる媒体を示す見出しを提示することにより、特定のインキセットの選択を行わせるようにしたものである。
【００１２】
(5)   本発明の第５の態様は、上述の第１〜第４の態様に係る建材の色合い決定作業支援装置において、
インキセット構成情報格納部に、印刷後に施される加工の内容ごとに異なるインキセットの情報を格納しておき、
インキセット選択部が、印刷後に施される加工の内容を示す見出しを提示することにより、特定のインキセットの選択を行わせるようにしたものである。
【００１３】
(6)   本発明の第６の態様は、上述の第１〜第５の態様に係る建材の色合い決定作業支援装置において、
インキセット構成情報として、構成要素となる個々のインキを配合するための原材料となるインキの型番および配合割合を用いるようにしたものである。
【００１４】
(7)   本発明の第７の態様は、上述の第１〜第６の態様に係る建材の色合い決定作業支援装置をコンピュータを利用して実現することができるように、各機能を実現するためのプログラムを用意するようにしたものである。
【００１５】
(8)   本発明の第８の態様は、天然素材をモチーフにした絵柄画像を印刷して建材を製造する際に、色あいの決定作業を支援する支援方法において、
それぞれ所定の濃度値が定義された多数の画素の配列からなる複数Ｎ枚の色別レイヤーから構成され、モチーフとなる天然素材の絵柄画像を示す原画像データを用意する段階と、
原画像データを構成する個々の色別レイヤーを印刷するために用いられるＮ種類のインキの組み合わせを１インキセットとして、それぞれ特定の天然素材をモチーフにした絵柄画像の色領域を再現するのに適したインキの組み合わせからなるインキセットを複数通り用意する段階と、
各インキセットについて、その構成要素となるＮ種類のインキをそれぞれ所定の濃度値で所定の順序で印刷したときに得られる第１の色と、標準表色系を構成するＭ種類のパラメータ（Ｍ＝Ｎでも、Ｍ≠Ｎでもよい）をそれぞれ所定値に設定したときに得られる第２の色と、が等しくなるように、Ｎ種類のインキの濃度値の組み合わせとＭ種類のパラメータの組み合わせとの間の対応関係を定義した色対応情報をデジタルデータとして用意する段階と、
複数通りのインキセットの中から、所望の天然素材に対応するインキセットを選択する段階と、
原画像データと選択したインキセットについての色対応情報とをコンピュータに与え、原画像データを構成するＮ枚の色別レイヤーに分散して定義されている原画像上の個々の画素の濃度値を、色対応情報を用いて標準表色系を構成するＭ種類のパラメータに変換する処理を実行させ、標準表色系画像データを生成する段階と、
この生成された標準表色系画像データに、所定の画像出力装置の色特性に応じた補正を加える処理をコンピュータに実行させ、補正後のデータを当該画像出力装置に与え、原画像データに基づいて、選択したインキセットを用いて印刷を行ったときの結果を予測する画像を出力する段階と、
を行うようにしたものである。
【００１６】
(9)   本発明の第９の態様は、上述の第８の態様に係る建材の色合い決定作業支援方法において、
印刷対象となる媒体ごとに異なるインキセットを用意し、印刷対象となる媒体を考慮して、インキセットの選択を行うようにしたものである。
【００１７】
(10)  本発明の第１０の態様は、上述の第８または第９の態様に係る建材の色合い決定作業支援方法において、
印刷後に施される加工の内容ごとに異なるインキセットを用意し、印刷後に施される加工の内容を考慮して、インキセットの選択を行うようにしたものである。
【発明の効果】
【００１８】
本発明によれば、予め個々の天然素材をモチーフにした絵柄画像の色領域を再現するのに適した特色インキの組み合わせを、それぞれインキセットとして用意しておくことができ、オペレータは、特定の天然素材を示す見出しを指定するだけで、所望の特色インキの組み合わせを選択することができる。しかも、個々のインキセットごとに、それぞれ標準表色系との対応関係を示す色対応情報がデータとして用意されているので、特定のインキセットを選択すると、当該インキセットに係る特色インキの組み合わせを用いて原画像を印刷した場合に実際に得られるであろう建材の色合いを、ディスプレイの画面上やプリンタによる出力結果として、事前に確認することができる。必要に応じて、別なインキセットを選択しなおせば、新たに選択されたインキセットを用いた印刷結果の確認を直ちに行うことができるので、色合い決定作業の負担は大幅に軽減される。
【発明を実施するための最良の形態】
【００１９】
以下、本発明を図示する実施形態に基づいて説明する。
【００２０】
＜＜＜  §１．一般的な建材印刷の方法  ＞＞＞
図１は、原画像データＤに基づく通常の印刷および建材用の印刷のプロセスの概念を示す図である。原画像データＤは、図示の例では、４枚の色別レイヤーＬ１〜Ｌ４によって構成されている。個々の色別レイヤーは、それぞれ所定の濃度値が定義された多数の画素配列からなる。４枚の色別レイヤーＬ１〜Ｌ４は、いずれも同一の画素配列からなり、原画像を構成する個々の画素は、４枚の色別レイヤーの同一位置に配置された４つの画素の濃度値の組み合わせによって表現されることになる。
【００２１】
原画像データＤが、通常の印刷物の画像を含むデータの場合、各色別レイヤーＬ１〜Ｌ４に、それぞれＣＭＹＫ（シアン・マゼンタ・イエロー・ブラック）なる４色のインキを対応させて印刷を行えばよい。たとえば、雑誌、ポスター、商品パッケージなど、ごく一般的な商用印刷物を印刷するために用意された原画像データの場合、通常、ＣＭＹＫ系の４色のインキを用いた印刷を行ったときに、意図する色合いをもった画像が印刷されることになる。
【００２２】
なお、４色のインキを順に刷り重ねると、先に印刷したインキ層は、後に印刷したインキ層の下層になるため、印刷の順序を変えると、最終的に得られる印刷物の色合いが若干異なる。したがって、実用上は、４色のインキについての印刷順序を予め定めておく必要がある。たとえば、シアンＣのインキで色別レイヤーＬ１を印刷し、次に、マゼンタＭのインキで色別レイヤーＬ２を印刷し、更に、イエローＹのインキで色別レイヤーＬ３を印刷し、最後に、ブラックＫのインキで色別レイヤーＬ４を印刷する、というような順序で印刷工程が行われる。
【００２３】
これに対して、建材用の印刷では、ＣＭＹＫ系のインキではなく、図示のとおり、別な系統の特色インキ（ここでは、各インキをＷＸＹＺと呼ぶが、ＣＭＹＫのＹと、ＷＸＹＺのＹとは、全く別のインキである。）が用いられることが多い。特に、木材や石材などの天然素材をモチーフにした絵柄画像を、紙やフィルム上に印刷して建材を製造する際には、個々の天然素材の印刷に適した特色インキの組み合わせを利用するのが一般的である。図示の例では、各色別レイヤーＬ１〜Ｌ４に、それぞれＷＸＹＺなる４色の特色インキを対応させて印刷を行うことになる。この場合も、印刷順を考慮する必要があるため、たとえば、特色インキＷで色別レイヤーＬ１を印刷し、次に、特色インキＸで色別レイヤーＬ２を印刷し、更に、特色インキＹで色別レイヤーＬ３を印刷し、最後に、特色インキＺで色別レイヤーＬ４を印刷する、というような順序で印刷工程が行われる。
【００２４】
このように、木材や石材などの天然素材をモチーフにした建材を印刷する場合に、ＣＭＹＫ系のインキではなく、特色インキＷＸＹＺを用いるのは、木材や石材などの天然素材の色合いが特定の色領域に偏っているためである。たとえば、木目柄をモチーフにした床材や壁材の絵柄の色は、茶系の色領域に偏在しているので、この茶系の色表現に適したインキを用いた印刷を行う方が好ましい。図２は、ＣＭＹＫ系のインキにより再現可能な色領域と、特色インキＷＸＹＺにより再現可能な色領域との対比を示す図である。図示のとおり、ＣＭＹＫなる４色のインキを用いた印刷では、再現可能な色領域は非常に広く、実用上、人間が認識できるほとんどの色領域をカバーしていることになる。これに対して、建材印刷用の特色インキＷＸＹＺを用いた印刷では、図にハッチングを施して示すように、再現可能な色領域はかなり限定されるが、これは換言すれば、図にハッチングを施して示す色領域でカバーできる画像であれば、ＣＭＹＫなる４色のインキの代わりに、特色インキＷＸＹＺを用いた印刷を行う方が、安定した印刷結果が得られることを意味する。
【００２５】
以上のような理由から、木材や石材などの天然素材をモチーフにした建材印刷では、通常、特色インキＷＸＹＺが用いられている。もっとも、ここで言う特色インキＷＸＹＺの具体的な色は、表現対象となる天然素材によって千差万別である。たとえば、同じ原画像データＤを用いて壁紙を印刷したとしても、特色インキＷ１，Ｘ１，Ｙ１，Ｚ１の組み合わせで印刷すると、オーク材の色合いをもつ壁紙が得られるが、特色インキＷ２，Ｘ２，Ｙ２，Ｚ２の組み合わせで印刷すると、チェリー材の色合いをもつ壁紙が得られる、というように、最終的な建材の色合いは、用いる特色インキの組み合わせによって大きく異なる。
【００２６】
木目柄の建材を印刷する場合、実際の天然木の木目柄を写真撮影し、これに種々のレタッチ処理やエンドレス処理（同一の柄を二次元平面上に繰り返し配置した場合に、境界線を跨いで連続した模様が得られるように画像を修正する処理）を施し、処理後の画像データを原画像データＤとして利用するのが一般的である。このような原画像データＤは、たとえば図１に示すように、４枚の色別レイヤーＬ１〜Ｌ４によって構成されることになるが、この時点では、各色別レイヤーＬ１〜Ｌ４は、いずれも特定の色との直接的な関係はもっていない。この原画像データＤを利用して、どのような色合いの建材を印刷するかは、印刷作業を行う担当者の判断に委ねられることになる。
【００２７】
たとえば、上述の例の場合、この担当者が、特色インキＷ１，Ｘ１，Ｙ１，Ｚ１の組み合わせを選んで印刷すると、オーク材の色合いをもつ建材が得られ、特色インキＷ２，Ｘ２，Ｙ２，Ｚ２の組み合わせを選んで印刷すると、チェリー材の色合いをもつ建材が得られる。したがって、実際には、天然のオーク材の木目柄を写真撮影することにより得られた原画像データを用いて、チェリー材の色合いをもつ建材を印刷するようなことも可能である。この場合、木目模様はオーク材の風合いをもつが、色合いはチェリー材というような建材が製造されることになる。もちろん、天然木をそのまま加工して得られる建材では、このようなことは起こり得ないが、印刷により製造するのであれば、顧客の要望に応じて、任意の絵柄、任意の色合いをもった建材を自由に製造することができる。
【００２８】
実際、建材の印刷を請け負う印刷会社には、建材メーカーなどの顧客から種々の要望が寄せられる。たとえば、「原画像データＤの絵柄を用いたオーク調の壁紙」というような希望が寄せられた場合、熟練した印刷担当者が、長年の経験を頼りに、顧客の要望に合致するような特色インキＷ１，Ｘ１，Ｙ１，Ｚ１の組み合わせを決定する作業を行う必要がある。そして、こうして決定した特色インキＷ１，Ｘ１，Ｙ１，Ｚ１を用いて実際に試し刷りを行い、これを顧客に提示する。通常、１回目の試し刷りで、顧客の満足する結果が得られることは希であり、「もう少し赤みを強くして欲しい」というような色合いを修正する要望が顧客から出されることになる。このような修正要求に応じて、担当者は、特色インキの配合を若干変える調整を行い、たとえば、特色インキＷ１，Ｘ２，Ｙ１，Ｚ２を用いて２回目の試し刷りを行い、これを顧客に提示することになる。このような試し刷りを繰り返す作業は、印刷現場での作業負担を重くし、時間的なロスも大きなものになる。
【００２９】
＜＜＜  §２．本発明の基本原理  ＞＞＞
さて、上述の§１では、建材印刷における色合いの決定作業（用いるインキの組み合わせの決定方法）の一般的なプロセスを簡単に説明した。本発明は、このような色合いの決定作業の負担を軽減させるための支援手法に係るものである。
【００３０】
本発明を実施する際には、まず、複数通りのインキセットを予め用意しておく。ここで、１つのインキセットは、原画像データを構成する個々の色別レイヤーを印刷するために用いられるインキの組み合わせを意味する。たとえば、図１に示す例のように、４枚の色別レイヤーＬ１〜Ｌ４によって構成される原画像データＤを用いて印刷を行う場合、４種類のインキの組み合わせが１つのインキセットになる。しかも、個々のインキセットは、それぞれ特定の天然素材をモチーフにした絵柄画像の色領域を再現するのに適したインキの組み合わせによって構成するようにする。
【００３１】
図３は、合計１２通りのインキセットを用意した例を示す模式図である。図示のとおり、インキセット１１〜１３は、オーク材用のセットであり、いずれもオーク材の色合いを再現するのに適した４種類のインキの組み合わせから構成されている。たとえば、図１に示す原画像データＤを、図３に示すインキセット１１を用いて印刷する場合、色別レイヤーＬ１はインキＷ１１で印刷され、色別レイヤーＬ２はインキＸ１１で印刷され、色別レイヤーＬ３はインキＹ１１で印刷され、色別レイヤーＬ４はインキＺ１１で印刷されることになる。そして、この場合、印刷された建材は、オーク材の色合いをもったものになる。別言すれば、インキセット１１を構成する４種類のインキＷ１１，Ｘ１１，Ｙ１１，Ｚ１１は、原画像データＤを印刷したときに、オーク材の色領域を再現するのに適した特色インキの組み合わせになっている。ここで、インキセット１２を構成する４種類のインキＷ１２，Ｘ１２，Ｙ１２，Ｚ１２や、インキセット１３を構成する４種類のインキＷ１３，Ｘ１３，Ｙ１３，Ｚ１３も、オーク材の色領域を再現するのに適した特色インキの組み合わせになっているが、各インキセットごとに、特色インキの配合が若干異なっている。したがって、インキセット１１，１２，１３は、オーク材用のインキセットのバリエーションということができ、このいずれを用いてもオーク材に適した色合いが得られるが、細かな色合いは個々のバリエーションごとにそれぞれ異なる。
【００３２】
図３には、この他、チェリー材用のインキセット２１〜２３、メイプル材用のインキセット３１〜３３、ローズウッド材用のインキセット４１〜４３を用意した例が示されている。ここでは、説明の便宜上、４種類の木材の色合いを再現するのに適したインキセットを示すが、実用上は、より多種類の木材についてのインキセットを用意することが可能であり、木材だけではなく、石材についてのインキセットを用意することも可能である。また、図３では、１つの木材用のインキセットにそれぞれ３通りのバリエーションを用意した例を示したが、実用上は、より多数のバリエーションを用意しておいた方が好ましい。ここでは、これらのインキセットを構成する各インキに、それぞれユニークなインキ識別コードが付されているものとする。たとえば、インキセット１１を構成する４種類のインキＷ１１，Ｘ１１，Ｙ１１，Ｚ１１における記号「Ｗ１１，Ｘ１１，Ｙ１１，Ｚ１１」は、それぞれユニークなインキ識別コードである。
【００３３】
このようなインキセットは、熟練した印刷担当者が、長年の経験を利用して、予め用意しておくようにする。前述したとおり、熟練した印刷担当者であれば、特定の木材あるいは石材の色領域を再現するのに適した特色インキの組み合わせを把握しているので、その経験を生かして、原画像データＤの印刷に用いるために、図３に示すような複数通りのインキセットを用意することができる。もちろん、実際に印刷を行いながら、試行錯誤で、図３のようなインキセットを用意してもかまわない。
【００３４】
なお、これらのインキセットは、必ずしも直ちに利用可能な物理的な特色インキの状態で用意しておく必要はなく、必要に応じて、その都度配合することができれば十分である。一般に、個々の特色インキは、市販のＣＭＹＫ系インキを特定の配合割合で混合することにより作成される。たとえば、インキＷ１１は、「Ａ社製の型番Ａ１２３４‐Yellowインキを３０％と、Ｂ社製の型番Ｂ５６７８‐Magentaインキを７０％と、を混合したもの」というように、原材料となる市販インキの型番および配合割合を示すことにより特定することができる。したがって、実用上は、図３に示されている個々の特色インキは、常に現物が用意されている必要はなく、原材料となるインキの型番および配合割合が定まっており、必要に応じていつでも配合できるような状態になっていればよい。
【００３５】
さて、この図３に示すような種々のインキセットが予め用意され、しかも個々のインキセットがそれぞれ特定の天然素材をモチーフにした絵柄画像の色領域を再現するのに適したインキの組み合わせから構成されていれば、個々の天然素材を示す情報を見出しとして提示することにより、特定の天然素材の色合いをもった建材を印刷するために適したインキセットを容易に選択することが可能である。たとえば、顧客から、オーク調の色合いの壁紙が欲しい旨の要望が出された場合であれば、現場の印刷担当者ではなく、たとえば、営業担当者であっても、図３に示すインキセットの中から、インキセット１１，１２あるいは１３を選択することができる。本発明の第１のポイントは、このように、予め用意されたインキセットの中から、当該インキセットに対応する天然素材を示す見出し情報に基づいて、顧客の意図する範疇のインキセットを容易に選択できるようにした点にある。
【００３６】
そして、本発明の第２のポイントは、こうして特定のインキセットを選択すると、当該インキセットを用いて実際に印刷を行う前に、コンピュータを利用して、印刷結果を予測する画像を提示することができる点である。たとえば、図１に示す原画像データＤを、インキセット１１を用いて印刷した結果を確認したい場合、通常は、４枚の刷版を作成し、特色インキＷ１１，Ｘ１１，Ｙ１１，Ｚ１１を用いて試し刷りを行う必要があるが、本発明では、そのような試し刷りを行うことなしに、コンピュータに接続されたディスプレイ画面上で印刷結果予測画像を確認したり、コンピュータに接続されたプリンタから印刷結果予測画像を出力することが可能になる。
【００３７】
このような印刷結果予測画像を提示する具体的な手法は、§３で詳述するが、本発明を利用すれば、印刷会社の営業担当者は、現場の印刷担当者の手を煩わせることなしに、顧客からの要望に合致すると思われるインキセットを選択し、この選択したインキセットを用いて原画像を印刷した場合の印刷結果予測画像を、コンピュータ用ディスプレイ画面上の画像あるいはプリンタによる出力物として得ることができるようになる。そこで、異なる複数通りのインキセットを用いた印刷結果予測画像を顧客に提示し、顧客に好みの画像を選択してもらえば、顧客の要望に沿った色合いを決定することができる。
【００３８】
もちろん、既存のインキセットでは顧客の要望に十分に対応できない場合には、顧客の要望に最も近いインキセットを選択した後、現場の印刷担当者に細かな色調整を行わせるようなことも可能である。
【００３９】
＜＜＜  §３．本発明に係る色合い決定作業支援装置  ＞＞＞
図４は、本発明の一実施形態に係る建材の色合い決定作業支援装置１００の基本構成を示すブロック図である。この支援装置１００は、§２で述べた作業、すなわち、木材や石材などの天然素材をモチーフにした絵柄画像を印刷して建材を製造する際に、色あいを決定する作業を支援する機能を有しており、図示のとおり、色対応情報格納部１１０、インキセット構成情報格納部１２０、インキセット選択部１３０、原画像データ格納部１４０、データ変換部１５０、画像データ出力部１６０なる各構成要素を有している。もっとも、これらの各構成要素は、実際にはコンピュータによって実現されるものであり、実際には、この支援装置１００は、パソコンなどの汎用コンピュータに専用のプログラムを組み込むことにより実現することができる。
【００４０】
原画像データ格納部１４０は、建材に印刷する絵柄（木目柄や石目柄）の原画像データを格納する構成要素である。ここでは、各原画像データが、４枚の色別レイヤーＬ１〜Ｌ４によって構成されている例を示すが、原画像データを構成する色別レイヤーの数は、必ずしも４枚に限定されるものではなく、複数Ｎ枚の色別レイヤーによって構成された原画像データが用意されていればよい。要するに、原画像データ格納部１４０に格納されている原画像データＤは、それぞれ所定の濃度値が定義された多数の画素の配列からなる複数Ｎ枚の色別レイヤーから構成され、モチーフとなる天然素材の絵柄画像を示すデータであれば足りる。なお、図４の原画像データ格納部１４０のブロック内には、４枚の色別レイヤーＬ１〜Ｌ４によって構成された原画像データＤが１つだけ格納されている状態が示されているが、実用上は、種々の絵柄をもった多数の原画像データを原画像データ格納部１４０に格納しておくことになる。
【００４１】
一方、インキセット構成情報格納部１２０には、図３に示すような個々のインキセットの構成を示すインキセット構成情報が格納されている。既に§２で述べたとおり、本発明における「インキセット」とは、原画像データ格納部１４０内の原画像データを構成する個々の色別レイヤーを印刷するために用いられるＮ種類（図示の例では４種類）のインキの組み合わせを示すものである。インキセット構成情報は、インキセットの構成要素となるインキを特定するための情報である。前述したとおり、個々のインキにユニークなインキ識別コードを付与しておけば、構成要素となるインキのインキ識別コードを羅列した情報をインキセット構成情報として用いることができる。たとえば、図３に示すインキセット１１についてのインキセット構成情報は、「Ｗ１１，Ｘ１１，Ｙ１１，Ｚ１１」という４種類のインキのインキ識別コードによって構成することができる。
【００４２】
もっとも、インキセット構成情報は、当該インキセットの構成要素となる個々のインキを特定することができる情報であれば、どのような情報を用いてもかまわない。たとえば、インキ識別コードを用いる代わりに、構成要素となる個々のインキを配合するための原材料となるインキの型番および配合割合を用いることも可能である。たとえば、インキＷ１１を特定するのであれば、「Ｗ１１」なるインキ識別コードを用いる代わりに、「Ａ社製の型番Ａ１２３４‐Yellowインキを３０％と、Ｂ社製の型番Ｂ５６７８‐Magentaインキを７０％と、を混合したもの」というような情報を用いることが可能である。
【００４３】
色対応情報格納部１１０には、インキセット構成情報格納部１２０内に定義されている個々のインキセットのそれぞれについての色対応情報が格納されている。ここで、あるインキセットについての色対応情報とは、「当該インキセットの構成要素となるＮ種類のインキをそれぞれ所定の濃度値で所定の順序で印刷したときに得られる第１の色と、標準表色系を構成するＭ種類のパラメータ（Ｍ＝Ｎでも、Ｍ≠Ｎでもよい）をそれぞれ所定値に設定したときに得られる第２の色と、が等しくなるように、前記Ｎ種類のインキの濃度値の組み合わせと前記Ｍ種類のパラメータの組み合わせとの間の対応関係を定義した情報」と言うことができる。
【００４４】
ここでは、この色対応情報の実体を、具体的な例に基づいて説明しよう。一般に、色を定義する基準として、いくつかの標準表色系が用いられているが、印刷の分野で最も広く利用されている標準表色系は、Ｌ＊ａ＊ｂ＊表色系である。このＬ＊ａ＊ｂ＊表色系では、すべての色は、Ｌ＊，ａ＊，ｂ＊の３つのパラメータ値の組み合わせによって表現される。色対応情報格納部１１０内に格納される色対応情報とは、個々のインキセットの構成要素となるインキの濃度値（階調値）で表現される特定の色を、Ｌ＊ａ＊ｂ＊表色系で表現するための表現形式の変換規則というべきものである。
【００４５】
たとえば、標準表色系としてＬ＊ａ＊ｂ＊表色系を用いる場合に、インキセット１１についての色対応情報がどのような情報になるのかを考えてみよう。インキセット１１は、図３に示すように、４種類のインキＷ１１，Ｘ１１，Ｙ１１，Ｚ１１の組み合わせである。いま、個々のインキの印刷時の濃度を、０〜２５５の２５６段階（８ビット）で制御できるとすると、このインキセット１１に含まれる４種類のインキの各濃度値の組み合わせによって、２５６４通りの色を再現することが可能になる。インキセット１１についての色対応情報とは、この２５６４通りの色のそれぞれについての、Ｌ＊ａ＊ｂ＊表色系での表現方法を示す情報ということになる。
【００４６】
より具体的には、４種類のインキＷ１１，Ｘ１１，Ｙ１１，Ｚ１１の濃度値を、それぞれｗ，ｘ，ｙ，ｚ（いずれも０〜２５５の値）として、この順序で紙面に印刷を行ったとすると、紙面上には何らかの色が表現されることになる。この色を、Ｌ＊ａ＊ｂ＊表色系を用いて表現した場合に（ｌ，ａ，ｂ）なるパラメータの組み合わせになったとすれば、（ｗ，ｘ，ｙ，ｚ）と（ｌ，ａ，ｂ）との対応関係が定義できる。別言すれば、４種類のインキＷ１１，Ｘ１１，Ｙ１１，Ｚ１１を、それぞれ濃度値（ｗ，ｘ，ｙ，ｚ）で、この順序で印刷したときに得られる第１の色と、Ｌ＊ａ＊ｂ＊表色系を構成する３種類のパラメータをそれぞれ所定値（ｌ，ａ，ｂ）に設定したときに得られる第２の色と、が等しくなったわけである。これにより、インキの濃度値の組み合わせ（ｗ，ｘ，ｙ，ｚ）とパラメータの組み合わせ（ｌ，ａ，ｂ）とが対応づけられることになる。
【００４７】
上述の例の場合、原理的には、インキセット１１の色対応情報は、Ｗ１１，Ｘ１１，Ｙ１１，Ｚ１１なる４種類のインキの濃度値のすべての組み合わせ（２５６４通りの組み合わせ）について、それぞれ所定のパラメータ（ｌ，ａ，ｂ）を対応づける情報である必要があるが、実用上は、離散的な濃度値の組み合わせについて、それぞれ対応するパラメータを定義しておき、補間法を適用することにより、正確なパラメータを演算で求めるようにすればよい。したがって、実用上は、２５６４通りの対応関係をすべて定義する必要はない。
【００４８】
特定のインキセット１１についての色対応情報を求めるには、Ｗ１１，Ｘ１１，Ｙ１１，Ｚ１１なる４種類のインキを用いて、実際に種々のグラデーションパターンを印刷し、この印刷画像の各部の色を測色器を用いて測定し、Ｌ＊ａ＊ｂ＊表色系のパラメータ（ｌ，ａ，ｂ）を求めればよい。このように、実際の印刷物上の特定色を測色器で測定して、当該特定色についてのＬ＊ａ＊ｂ＊表色系のパラメータを求める方法は、公知の技術であるため、ここでは詳しい説明は省略する。なお、色対応情報は、インキの濃度値の組み合わせ（ｗ，ｘ，ｙ，ｚ）とパラメータの組み合わせ（ｌ，ａ，ｂ）との対応関係を示すテーブルとして用意することもできるし、任意の濃度値の組み合わせ（ｗ，ｘ，ｙ，ｚ）に基づいて、特定のパラメータの組み合わせ（ｌ，ａ，ｂ）を算出する演算式として用意することもできる。
【００４９】
色対応情報格納部１１０には、個々のインキセットごとに、それぞれ上述した色対応情報が格納されることになる。個々のインキセットごとにそれぞれ色対応情報を求める作業は、比較的労力を必要とする作業になるが、一度求めてしまえば、以後、色対応情報格納部１１０内に格納して繰り返し利用することが可能になる。
【００５０】
一方、インキセット選択部１３０は、オペレータに、インキセット構成情報格納部１２０内に定義されている複数通りのインキセットを提示し、その中から所望のインキセットを選択させる処理を行う機能を有する。前述したとおり、インキセット構成情報格納部１２０内に定義されている各インキセットは、それぞれ特定の天然素材をモチーフにした絵柄画像の色領域を再現するのに適したインキの組み合わせからなるインキセットである。そこで、インキセット選択部１３０は、オペレータにインキセットを提示する際に、当該インキセットに対応する天然素材を示す情報を見出しとして提示する機能を有している。たとえば、図３に示すインキセット１１〜１３については、「オーク材」用のインキセットである旨の見出しが提示されることになる。オペレータは、このような見出しを利用して、顧客の要望に合致するインキセットを容易に選択することができる。
【００５１】
データ変換部１５０は、色対応情報格納部１１０から、オペレータが選択したインキセットについての色対応情報を読み出し、原画像データ格納部１４０から取り出した特定の原画像データＤを構成するＮ枚の色別レイヤーに分散して定義されている原画像上の個々の画素の濃度値を、読み出した色対応情報を用いて、標準表色系を構成するＭ種類のパラメータに変換することにより、標準表色系画像データＳを生成する処理を行う。
【００５２】
たとえば、オペレータが、インキセット選択部１３０に対して、図３に示すインキセット１１を選択する指示を与えたとしよう。この場合、色対応情報格納部１１０からデータ変換部１５０に対して、選択されたインキセット１１についての色対応情報が読み出される。そして、データ変換部１５０は、原画像データＤを構成する個々の画素の濃度値を、この色対応情報に基づいて、標準表色系画像データＳに変換する処理を実行することになる。より具体的な例で説明すると、原画像データＤを構成する各色別レイヤーＬ１，Ｌ２，Ｌ３，Ｌ４上の特定位置における画素の各レイヤーの濃度値が（ｗ，ｘ，ｙ，ｚ）であったとすると、インキセット１１についての色対応情報を利用することにより、この濃度値（ｗ，ｘ，ｙ，ｚ）は、Ｌ＊ａ＊ｂ＊表色系の特定のパラメータの組み合わせ（ｌ，ａ，ｂ）に変換されることになる。標準表色系画像データＳは、このようなＬ＊ａ＊ｂ＊表色系のパラメータによって表現された画素の集合ということになる。いわば、データ変換部１５０は、ＷＸＹＺ系で表現されていた画像を、Ｌ＊ａ＊ｂ＊表色系で表現された画像に変換する処理を行ったことになる。
【００５３】
こうして得られた標準表色系画像データＳは、画像データ出力部１６０に与えられる。この画像データ出力部１６０は、標準表色系画像データＳを、支援装置１００に接続されたディスプレイ２１０やプリンタ２２０に出力するための構成要素である。但し、画像データ出力部１６０は、この標準表色系画像データＳを、各画像出力装置に出力する際に、当該画像出力装置の色特性に応じた補正を加える処理を行う。
【００５４】
たとえば、ディスプレイ２１０に対して標準表色系画像データＳを出力する際には、ディスプレイ２１０に固有の色特性を考慮した補正を施し、ディスプレイ出力用データＳｄ（ＲＧＢ系のデータ）の形で出力を行う。同様に、プリンタ２２０に対して標準表色系画像データＳを出力する際には、プリンタ２２０に固有の色特性を考慮した補正を施し、プリンタ出力用データＳｐ（ＣＭＹＫ系のデータ）の形で出力を行うことになる。
【００５５】
このような画像データ出力部１６０における補正は、一般に、ＩＣＣプロファイル（International Color Consortium Profile）を用いた色補正処理として知られている処理である。具体的には、ディスプレイ２１０に固有の色特性を示すＩＣＣプロファイルや、プリンタ２２０に固有の色特性を示すＩＣＣプロファイルを、画像データ出力部１６０内に用意しておき、これらＩＣＣプロファイルを利用して、ディスプレイ出力用データＳｄを得るための色補正処理や、プリンタ出力用データＳｐを得るための色補正処理が実行されることになる。このＩＣＣプロファイルを利用した色補正処理も公知の技術であるため、ここでは詳しい説明は省略する。
【００５６】
結局、原画像データ格納部１４０内に格納されていた原画像データＤは、データ変換部１５０において、標準表色系画像データＳへと変換され、更に、画像データ出力部１６０において、ディスプレイ出力用データＳｄもしくはプリンタ出力用データＳｐに変換されることになる。各ＩＣＣプロファイルが正確なものであれば、原理的には、ディスプレイ２１０の画面上に表示された画像と、プリンタ２２０により紙面上に出力された画像の色合いは同一のものになる。
【００５７】
図５は、このような変換プロセスを示すブロック図である。原画像データＤは、原画像データ格納部１４０内に用意されているデータであり、オペレータが選択した特定のインキセットを用いて印刷されることになる画像である。選択されたインキセットがＷＸＹＺなる４種類のインキから構成されるものとすれば、この原画像データＤは、ＷＸＹＺ系の画像データということができる。この原画像データＤは、データ変換部１５０において、Ｌ＊ａ＊ｂ＊表色系の標準表色系画像データＳへと変換される。この変換には、色対応情報格納部１１０に格納されていた色対応情報（オペレータが選択した特定のインキセットについての色対応情報）が利用されることになる。そして、最終的な画像をディスプレイ２１０の画面上で確認する場合には、画像データ出力部１６０において、標準表色系画像データＳがＲＧＢ系のディスプレイ出力用データＳｄへと変換される。この変換には、画像データ出力部１６０内に組み込まれていたディスプレイ用ＩＣＣプロファイルが利用されることになる。一方、最終的な画像をプリンタ２２０によって紙面上に出力させて確認する場合には、画像データ出力部１６０において、標準表色系画像データＳがＣＭＹＫ系のプリンタ出力用データＳｐへと変換される。この変換には、画像データ出力部１６０内に組み込まれていたプリンタ用ＩＣＣプロファイルが利用されることになる。
【００５８】
＜＜＜  §４．本発明に係る色合い決定作業支援方法  ＞＞＞
続いて、図４に示す支援装置１００を用いて建材の色合いを決定する作業の手順を説明する。既に述べたとおり、実用上は、原画像データ格納部１４０内には、モチーフとなる天然素材の絵柄画像を示す原画像データＤが複数通り用意されている。そこで、オペレータは、顧客の要望に応じて、建材に用いる特定の原画像データＤを選択する。続いて、インキセット選択部１３０からの提示に応じて、インキセット構成情報格納部１２０内に定義されている複数通りのインキセットの中から、顧客の要望に応じた天然素材に対応するインキセットを選択する。たとえば、「オーク調」という要望があれば、図３に示すインキセット１１〜１３のいずれか１つを選択すればよい。
【００５９】
こうして、特定の原画像データＤと、特定のインキセットが選択されると、選択されたインキセットについての色対応情報が、色対応情報格納部１１０からデータ変換部１５０へと読み出され、データ変換部１５０におけるデータ変換処理が実行される。すなわち、原画像データＤに対して、読み出された色対応情報に基づく画像変換処理が行われ、標準表色系画像データＳが生成されることになる。
【００６０】
ここでオペレータは、画像データ出力部１６０に対して、画像をディスプレイ２１０の画面上に出力させるか、あるいは、プリンタ２２０を利用して紙面上に出力させるか、を指示する。ディスプレイ２１０上への出力が指示された場合には、標準表色系画像データＳはディスプレイ出力用データＳｄに変換されてディスプレイ２１０へ与えられることになり、プリンタ２２０を用いた紙面上への出力が指示された場合には、標準表色系画像データＳはプリンタ出力用データＳｐに変換されてプリンタ２２０へ与えられることになる。
【００６１】
このような手順により、ディスプレイ２１０の画面上、もしくはプリンタ２２０から出力された紙面上に、選択したインキセットを用いて原画像データＤを印刷した場合の印刷結果予測画像が提示される。オペレータは、この画像を顧客に提示して確認してもらうことができる。顧客の要望に合致しなかった場合には、インキセット選択部１３０に対して、別なインキセットを選択する指示を与えれば、当該別なインキセットを用いて印刷した場合の印刷結果予測画像を得ることができる。かくして、最終的に顧客の要望に合致した結果が得られるまで、もしくはそれに近い結果が得られるまで、新たなインキセットを選択して、印刷結果予測画像を提示する作業を繰り返してゆけばよい。
【００６２】
こうして、最終的に顧客の要望に合致した結果、もしくはそれに近い結果が得られた場合には、インキセット構成情報格納部１２０内のインキセット構成情報を参照することにより、最終的に選択したインキセットを構成するインキを特定することができるので、これらのインキを用いて実際の印刷を行うことができる。当該印刷の結果が、顧客の要望に合致していれば、そのまま正式な建材作成プロセスを進めればよいが、実用上は、この段階で試し刷りを行い、現場の印刷担当者による細かな色合い修正作業を行うようにするのが好ましい。顧客は、既に、この試し刷りの結果に近い画像を、ディスプレイ２１０上の画面もしくはプリンタ２２０から出力された紙面上で確認しているので、試し刷りの結果は顧客の要望にかなり近いものになる。
【００６３】
＜＜＜  §５．実用的なインキセットの種類と提示方法  ＞＞＞
最後に、本発明を実施する上で用意する実用的なインキセットの種類とその提示方法の一例を述べておく。
【００６４】
既に述べたとおり、本発明で定義されるインキセットは、それぞれ特定の天然素材をモチーフにした絵柄画像の色領域を再現するのに適したインキの組み合わせである。実用上、建材に利用される天然素材の絵柄画像は、木目柄と石目柄がほとんどである。そこで、実際には、予め用意するインキセットとしては、種々の木材をモチーフにした絵柄画像の色領域を再現するのに適したインキの組み合わせからなるインキセットと、種々の石材をモチーフにした絵柄画像の色領域を再現するのに適したインキの組み合わせからなるインキセットを用意しておくようにし、インキセット選択部１３０が、木材および石材を示す大見出しと、特定の木材および特定の石材を示す中見出しと、を提示することにより、特定のインキセットの選択を行わせるようにしておくと便利である。
【００６５】
図６は、このような大見出しと中見出しとにより、用意されたインキセットを提示した画面の一例を示す図である。インキセット選択部１３０によって、たとえば、ディスプレイ２１０の画面上に、この図６に示すような画面を表示させ、オペレータに、マウスなどの入力機器で、所望の木材もしくは石材を選択する操作を行わせればよい。図示の例の場合、＜木目＞および＜石目＞という文字列が、大見出しを構成している。この大見出しを提示することにより、画面の左側には木目柄用のインキセットが列挙され、画面の右側には石目柄用のインキセットが列挙されていることを、オペレータに認識させることができる。
【００６６】
一方、木目に関しては、オーク材、チェリー材、メイプル材、ローズウッド材なる中見出しが表示されており、石目に関しては、マーブル材、グラニット材なる中見出しが表示されている。この実施例では、オペレータが、これらの中見出しのいずれかをマウスクリックなどで選択すると、当該中見出しに該当する素材用に用意されたインキセットのバリエーションが表示されるようになっている。たとえば、オペレータが、「オーク材」なる中見出しをクリックすると、図７に示すように、「オーク材」のバリエーションとして用意されているインキセット１１〜１３が表示される。この図７に示されている「インキセット１１」、「インキセット１２」、「インキセット１３」なる見出しは、１つのインキセットを選択するための小見出しということになる。ここで、オペレータが、「インキセット１１」なる小見出しをクリックすると、最終的に「インキセット１１」の選択作業が完了することになる。
【００６７】
結局、この例では、同一の木材についての複数通りのインキセットと、同一の石材についての複数通りのインキセットとが用意されていることになり、個々のインキセットを示す小見出しを提示することにより、特定のインキセットの選択が可能になっている。
【００６８】
もちろん、図６および図７に示した表示例は、説明の便宜を考慮した非常に単純な例であり、本発明を実施する上での表示形式は、このような例に限定されるものではない。たとえば、第１段階のステップにおいて、＜木目＞および＜石目＞という大見出しのみを提示していずれかをクリックさせ、第２段階のステップにおいて、木目または石目のうちの選択された一方についてのみの中見出しを提示し、第３段階のステップにおいて、小見出しを提示するような方法をとることもできる。あるいは、大見出しから小見出しに至るまで、同一画面上にツリー構造をもったメニューで表示し、直接小見出しをクリックさせるような方法をとってもかまわない。
【００６９】
なお、図７に示す例では、個々のインキセットを示す小見出しとして、「インキセット１１」、「インキセット１２」、「インキセット１３」のような意味のない文言を用いたが、実際には、たとえば、「オーク材（標準）」、「オーク材（赤）」、「オーク材〔黄）」のように、意味のある文言を用いるのが好ましい。この場合、「オーク材（標準）」なる小見出しで選択されるインキセット１１は、標準的なオーク材の色合いを再現するのに適したインキセットとなっており、「オーク材（赤）」なる小見出しで選択されるインキセット１２は、若干赤みの強いオーク材の色合いを再現するのに適したインキセットとなっており、「オーク材（黄）」なる小見出しで選択されるインキセット１２は、若干黄色みの強いオーク材の色合いを再現するのに適したインキセットとなっている。このように、小見出しに意味をもたせておけば、まず、「オーク材（標準）」を選択して、印刷結果予測画像を提示し、顧客が「もう少し赤っぽく」のような要望を出してきた場合には、「オーク材（赤）」の選択を行う、などの修正を容易に行うことができる。
【００７０】
また、天然素材を示す情報としては、必ずしも、「オーク材」、「チェリー材」、「メイプル材」、「ローズウッド材」のような材質名を用いる必要はない。たとえば、「白木」、「唐木」、「濃色材」、「針葉樹」のような分類名を用いることもできる。
【００７１】
なお、建材の絵柄画像を印刷する場合、必ず何らかの物理的な媒体上に印刷を行うことになるが、印刷対象となる媒体ごとに、用いるインキが異なる場合も少なくない。特に、紙媒体上に印刷する際に用いるインキと、フィルム媒体上に印刷する際に用いるインキとでは、通常、インキ成分が全く異なる。したがって、実用上は、紙に印刷する場合のインキセットと、フィルムに印刷する場合のインキセットとは、全く異なるインキセットにせざるを得ない。このように、印刷対象となる媒体ごとに異なるインキセットを用意する場合には、インキセット選択部１３０によって、印刷対象となる媒体を示す見出しを提示させ、特定のインキセットの選択を行わせるようにするのが好ましい。
【００７２】
また、建材の場合、絵柄画像を印刷した後、種々の加工を施すことが少なくない。たとえば、印刷後に樹脂を含浸させる加工を行ったり、表層に別な樹脂層を塗布形成する加工を行ったりすることは、ごく一般的に行われている。また、絵柄画像の印刷層を別な媒体に転写するプロセスを行う場合もある。このように、印刷後に施される加工の内容が異なると、当該加工の内容に応じて、それぞれ異なる成分のインキを用意する必要が生じる。このように、印刷後に施される加工の内容に応じて異なるインキセットを用意する場合には、インキセット選択部１３０によって、印刷後に施される加工の内容を示す見出しを提示させ、特定のインキセットの選択を行わせるようにするのが好ましい。
【００７３】
図８は、このような点を考慮して、印刷対象となる媒体を示す見出し（＜紙＞および＜フィルム＞なる見出し）と、印刷後に施される加工の内容を示す見出し（樹脂含浸加工用、表層加工用、転写用なる見出し）を提示させ、特定のインキセットの選択を可能にした実施例を示す図である。図６および図７に示す選択画面に先立って、まず、図８に示すような画面を提示し、印刷対象となる媒体および印刷後に施される加工内容を選択させるようにすれば、印刷対象となる媒体や印刷後に施される加工内容に応じて、異なるインキセットが用意されている場合にも対応することが可能になる。
【００７４】
たとえば、紙媒体に表層加工を行う建材を製造することが前提となっている場合であれば、オペレータは、まず、図８に示す画面上で、左側（紙媒体側）の「表層加工用」なる見出しをクリックする作業を行った後に、前述したように、特定の天然素材に適したインキセットを選択する作業を行えばよい。その結果、紙媒体および表層加工に適したインキセットが選択されることになる。
【００７５】
図９は、このように、印刷対象となる媒体および印刷後に施される加工内容をも考慮して、それぞれ別個のインキセットを用意した場合の階層構造を示す図である（図が繁雑になるのを避けるため、一部、内容の記載を省略した）。この例では、まず、第１階層として、印刷対象媒体が「紙」であるか、「フィルム」であるか、という事項に基づく分類を行い、第２階層として、印刷後に施される加工内容が「樹脂含浸加工」であるか、「表層加工」であるか、「転写」であるか、という事項に基づく分類を行っている。そして、第３階層として、「木目」であるか、「石目」であるか、という事項に基づく分類（前述した大見出しによる分類）を行っており、第４階層として、「オーク材」、「チェリー材」、「メイプル材」、「ローズウッド材」、「マーブル材」、「グラニット材」のような材質名に基づく分類（前述した中見出しによる分類）を行っている。そして、最後の第５階層が、個々のインキセットに対応する。
【００７６】
このような階層構造を定義しておけば、オペレータは、第１階層から順に選択を行ってゆき、最終的に第５階層の特定のインキセットを選択することができる。こうして選択された特定のインキセットは、顧客の要望に応じた色合いを再現するのに適したインキの組み合わせになっているだけではなく、印刷対象となる媒体および印刷後に施される加工内容をも考慮したインキの組み合わせになっている。
【図面の簡単な説明】
【００７７】
【図１】原画像データＤに基づく通常の印刷および建材用の印刷のプロセスの概念を示す図である。
【図２】ＣＭＹＫ系のインキにより再現可能な色領域と、特色インキＷＸＹＺにより再現可能な色領域との対比を示す図である。
【図３】本発明を実施するために、合計１２通りのインキセットを用意した例を示す模式図である。
【図４】本発明の一実施形態に係る建材の色合い決定作業支援装置の基本構成を示すブロック図である。
【図５】図４に示す支援装置１００において行われる画像データの変換プロセスを示すブロック図である。
【図６】大見出しと中見出しとにより、用意されたインキセットを提示した画面を示す図である。
【図７】図６に示す「オーク材」をクリックすることにより表示される小見出しの画面を示す図である。
【図８】印刷対象となる媒体および印刷後の加工内容を示す見出しにより、特定のインキセットの選択を行わせる選択画面の図である。
【図９】印刷対象となる媒体および印刷後に施される加工内容をも考慮して、それぞれ別個のインキセットを用意した場合の階層構造を示す図である。
【符号の説明】
【００７８】
１１〜４３…各インキセット
１００…建材の色合い決定作業支援装置
１１０…色対応情報格納部
１２０…インキセット構成情報格納部
１３０…インキセット選択部
１４０…原画像データ格納部
１５０…データ変換部
１６０…画像データ出力部
２１０…ディスプレイ
２２０…プリンタ
Ｄ…原画像データ
ＣＭＹＫ…通常の印刷で用いられるインキ
Ｌ１〜Ｌ４…原画像データを構成する個々の色別レイヤー
Ｓ…標準表色系画像データ
Ｓｄ…ディスプレイ出力用データ
Ｓｐ…プリンタ出力用データ
ＷＸＹＺ…建材の印刷で用いられる特色インキ
Ｗ１１〜Ｗ４３，Ｘ１１〜Ｘ４３，Ｙ１１〜Ｙ４３，Ｚ１１〜Ｚ４３…特色インキ
【図１】
2006187964.tif 000003
【図２】
2006187964.tif 000004
【図３】
2006187964.tif 000005
【図４】
2006187964.tif 000006
【図５】
2006187964.tif 000007
【図６】
2006187964.tif 000008
【図７】
2006187964.tif 000009
【図８】
2006187964.tif 000010
【図９】
2006187964.tif 000011